(57)【要約】      （修正有）【課題】散出板が頭皮に直接的に接触するのを防止し、散出板からの微髪毛の出方に安定感を持たせ、また使用しないときの微髪毛の漏出を防ぎ、さらに消費使用後ではそのまま廃棄できる擬毛髪散布器を提供する。【解決手段】一端部に開口部を有する有底筒状の容器本体Ｐと、開口部に取り付けた多数の細孔４ａを有する散出板４と、開口部に着脱可能に取り付けるキャップとから散布式増毛容器を形成する。容器本体Ｐ、散出板４、キャップそれぞれを例えば紙材等の軽量な可燃性素材によって形成し、容器本体Ｐの開口部端縁と散出板４との間に、散出板周囲を囲繞して空隙Ｓを形成する環枠状の支持部５を設け、キャップ内側には、閉蓋によって散出板４の細孔４ａを塞ぐ封止部材を付設する。【選択図】図５
0003150374.tif 000002
【実用新案登録請求の範囲】
【請求項１】
一端部に開口部を有する有底筒状の容器本体と、開口部に取り付けられる多数の細孔を有する散出板と、開口部に着脱可能に取り付けられるキャップとから成る散布式増毛容器において、前記容器本体、散出板、キャップそれぞれを軽量な可燃性素材によって形成して成ることを特徴とする擬毛髪散布器。
【請求項２】
容器本体、散出板、キャップそれぞれは紙材製である請求項１記載の擬毛髪散布器。
【請求項３】
容器本体の開口部端縁と散出板との間に、散出板周囲を囲繞して空隙を形成する環枠状の支持部を設けて成る請求項１または２記載の擬毛髪散布器。
【請求項４】
キャップ内側には、閉蓋によって散出板の全体に密着して細孔に塞ぐ封止部材を付設して成る請求項１乃至３のいずれか記載の擬毛髪散布器。
【請求項５】
一端部に開口部を有する有底筒状の容器本体と、開口部に取り付けられる多数の細孔を有する散出板と、開口部に着脱可能に取り付けられるキャップとから成る散布式増毛容器において、前記容器本体、散出板、キャップそれぞれを紙材によって形成し、容器本体の開口部端縁と散出板との間に支持部を設け、キャップ内側には、閉蓋によって散出板の全体に密着して細孔を塞ぐ封止部材を付設して成ることを特徴とする擬毛髪散布器。
【考案の詳細な説明】
【技術分野】
【０００１】
本考案は、粉末状に形成されているヘアパウダーと称する擬毛の微髪毛を、頭皮、頭髪の薄い部分等に散布して豊髪状態にするために使用される使い捨てタイプの擬毛髪散布器に関する。
【背景技術】
【０００２】
従来、容器の口部を頭皮に向けて当該容器内部の微髪毛を出すタイプの散布式増毛容器は、例えば口部に設けられた網目状のネットを頭皮に直接触れさせて、軽く叩かれるように使用されるものとなっている。ただ、このタイプのものは微髪毛の出方に安定感がなく、しかも頭皮に対し微髪毛がまばらに付着されてしまうことがある。
【０００３】
そこで、このような問題を解決するために、従来から多くの改良が成されている。例えば、特許文献１に開示されているように、容器の下部長手方向両端に、摘みにより内方へ弾性変形可能なアコーデオン状の押圧部を備え、容器の口部を毛髪の薄い部分に向けて当該押圧部を圧縮することで中栓の排出孔からエアーを吹き出すことで容器内に収容されているヘアパウダーを散布させるものとした人工増毛用容器なるものが存在する。
【０００４】
また、特許文献２に開示されているように、容器体内に内蔵された散出機構の振動モータを起動させ、このバイブレーション作用によって容器体内の粉体を散出孔から振り出し状に散出させるようにした粉体散出装置なるものが存在する。
【０００５】
また、特許文献３に示すように、容器内に内蔵されている振動駆動機構によって振動棒を振動させることで当該容器内の微髪毛に振動を付与し、該振動により微髪毛を強制的に振るって網蓋の小孔から散布させるものとした振動散布式増毛器なるものが存在する。
【０００６】
また、特許文献４に開示されているように、容器内に高電圧を発生させる電気回路を内蔵し、当該容器内の短繊維に高電圧の静電気を帯電させ、噴出し口の小孔から頭髪に向けて散布する際に、この静電気の力で頭髪に短繊維を密着させるようにした静電散布式擬似増毛法なるものが存在する。
【０００７】
また、特許文献５および特許文献６に示すように、容器内にガスボンベ体を収納し、当該容器内の収容部に収容されている微髪毛の上方からガスボンベ体による圧力ガスを噴射させ、当該微髪毛を噴霧状にして毛髪に付着できるようにした粉体スプレー装置なるものが存在する。
【先行技術文献】
【特許文献】
【０００８】
【特許文献１】実用新案登録第３０６５０８９号公報
【特許文献２】実開平４−９３０２１号公報
【特許文献３】登録実用新案第３０５１０１４号公報
【特許文献４】特開２００１−５５６１１号公報
【特許文献５】実用新案登録第３００３０７６号公報
【特許文献６】実開平５−９６６５号公報
【考案の概要】
【考案が解決しようとする課題】
【０００９】
しかしながら、このような従来の装置・器具類においては、例えば特許文献１による人工増毛用容器の場合、容器の口部にある中栓が露出しているため、当該中栓で頭皮を叩くことはないにしても、この排出孔が頭皮や毛髪に直接触れてしまうことがあり、このとき中栓に付着した頭皮や毛髪の脂肪分が凝固して中栓の排出孔を塞いでしまい、目詰まり状態となってしまう虞がある。しかも、容器には弾性変形可能なアコーデオン状の押圧部を備えているため、何回でも押圧復帰可能な耐強度性のある合成樹脂性素材によって形成される必要があり、消費使用後での焼却処分は公害発生の一因ともなるから、エコロジー対策に適応できないものである。
【００１０】
また、特許文献２による粉体散出装置の場合、特許文献１のものと同様に、散出孔が頭皮や毛髪に直接触れてしまうことがあり、このとき散出孔に付着した頭皮や毛髪の脂肪分が凝固して当該散出孔を塞ぎ、目詰まり状態となってしまう虞がある。しかも、容器体の内部には散出機構の振動モータが内蔵されているから、このような容器体は使用後にそのまま廃棄するのは困難であり、これもエコロジー対策に適応できない。
【００１１】
さらに、この粉体散出装置の場合では、容器体にキャップを被せた際には、散出孔とキャップ内壁面との間に隙間ができているから、容器体が転倒した場合、容器体内部の粉体が散出孔から漏れ出してしまう虞がある。
【００１２】
また、特許文献３による振動散布式増毛器の場合、容器の網蓋が露出しているため、当該網蓋で頭皮を叩くことはないにしても、この網蓋が頭皮や毛髪に直接触れると、それらの脂肪分が凝固して当該網蓋の小孔を塞ぎ、目詰まり状態となってしまう虞がある。しかも、容器の内部には振動駆動機構が内蔵されているから、このような容器体は特許文献２のものと同様に簡単には廃棄できず、これもエコロジー対策に適応できない。
【００１３】
また、特許文献４による静電散布式擬似増毛法の場合、静電気の力で頭髪に短繊維を密着させる際に、容器内の短繊維に高電圧の静電気を帯電させるから、噴出し口の小孔がこのような帯電繊維によって閉塞されてしまう虞がある。しかも、容器の内部には高電圧発生用の電気回路が内蔵されているから、このような容器体は、簡単には廃棄できない。
【００１４】
また、特許文献５および特許文献６による粉体スプレー装置の場合、容器の内部にはガスボンベ体を収納してあるから、このような容器体において、消費使用後のガスボンベ体の廃棄には種々な問題があり、その廃棄自体に困難性が伴なう。
【００１５】
そこで、本考案は叙上のような従来存した諸事情に鑑み創案されたもので、散出板が頭皮に接触してしまうのを未然に防ぐことができると同時に、散出板からの微髪毛の出方に安定感を持たせることができ、また使用しないときの微髪毛の漏出を防ぐことができるばかりでなく、さらにエコロジー対策としても十分に対応できる使い捨てタイプの擬毛髪散布器を提供することを目的とする。
【課題を解決するための手段】
【００１６】
上述した課題を解決するために、本考案にあっては、一端部に開口部を有する有底筒状の容器本体Ｐと、開口部に取り付けられる多数の細孔４ａを有する散出板４と、開口部に着脱可能に取り付けられるキャップ６とから成る散布式増毛容器において、前記容器本体Ｐ、散出板４、キャップ６それぞれを軽量な可燃性素材、例えば紙材によって形成して成るものである。
容器本体Ｐの開口部端縁と散出板４との間に、散出板４周囲を囲繞して空隙Ｓを形成する環枠状の支持部５を設けたり、キャップ６内側には、閉蓋によって散出板４の全体に密着して細孔４ａを塞ぐ封止部材７を付設したりして構成することができる。
【００１７】
以上のように構成された本考案に係る擬毛髪散布器にあって、軽量な可燃性素材、例えば紙材によって形成して成る容器本体Ｐ、散出板４、キャップ６それぞれは、使用後に可燃性ゴミとしてそのまま廃棄可能にさせる。
容器本体Ｐの開口部端縁と散出板４との間に、散出板４周囲を囲繞して空隙Ｓを形成する環枠状の支持部５は、散出板４の頭皮Ｒへの直接的な接触を阻止させ、空隙Ｓによって擬毛たる微髪毛を頭皮Ｒ等に満遍なく散布させる。
また、散出板４を頭皮Ｒに向けて叩いた際に、頭皮Ｒと散出板４との間に支持部５によって空隙Ｓが生じ、この空隙Ｓ内で微髪毛Ｑが舞い上がるようにして頭皮Ｒに降りかかるものとなる。
さらに、キャップ６内側の封止部材７は、転倒時の散出板４の細孔４ａからの微髪毛Ｑの噴出しを阻止させる。
【考案の効果】
【００１８】
本考案によれば、容器本体Ｐを直接的に頭髪、頭皮Ｒ等に軽く叩くようにして微髪毛Ｑを散布するに際し、細孔４ａを有する散出板４が頭皮Ｒに接触してしまうのを未然に防ぐことができると同時に、散出板４からの微髪毛Ｑの出方に安定感を持たせることができる。また使用しないときの微髪毛Ｑの漏出を防ぐことができるばかりでなく、さらに微髪毛Ｑの消費使用後にはそのまま廃棄しても何らの害もないから、エコロジー対策としても十分に対応できる。
【００１９】
すなわち、これは本考案が、擬毛髪散布器の容器本体Ｐ、散出板４、キャップ６それぞれを軽量な可燃性素材、例えば紙材によって形成して成るからであり、これにより、使用後に擬毛髪散布器を丸ごと可燃性ゴミとして廃棄処分でき、エコロジー対策に十分対応できる。
【００２０】
容器本体Ｐの開口部端縁と散出板４との間に、散出板４周囲を囲繞して空隙Ｓを形成する環枠状の支持部５を設けてあるので、散出板４の頭皮Ｒへの直接的な接触を防止できる。これにより従来のように頭皮Ｒの脂肪分が散出板４の細孔４ａに付着し、凝固して目詰まり状態となってしまうのを未然に防止でき、常時安定した散布状態を実現できる。また、散出板４を頭皮Ｒに向けて叩いた際に、頭皮Ｒと散出板４との間には、支持部５によって空隙Ｓが生じるから、この空隙Ｓ内で微髪毛Ｑが舞い上がるようにして頭皮Ｒに降りかかり、全体に均一に付着させることができる。
【００２１】
キャップ６内側には、閉蓋によって散出板４の細孔４ａそれぞれを塞ぐよう散出板４に密着する封止部材７を付設したので、閉蓋状態の容器本体Ｐが転倒したとき等でも散出板４の細孔４ａからの微髪毛Ｑの漏出を未然に防止できる。
【００２２】
尚、上記の課題を解決するための手段、考案の効果の項それぞれにおいて付記した符号は、図面中に記載した構成各部を示す部分との参照を容易にするために付したもので、図面中の符号によって示された構造・形状に本考案が限定されるものではない。
【図面の簡単な説明】
【００２３】
【図１】本考案を実施するための一形態を示す擬毛髪散布器のキャップを開いた状態の一部切欠斜視図である。
【図２】同じくキャップを開いた状態の断面図である。
【図３】同じくキャップを閉じた状態の断面図である。
【図４】同じく使用状態の斜視図である。
【図５】同じく使用状態の断面図である。
【考案を実施するための形態】
【００２４】
以下、図面を参照して本考案の実施の形態を詳細に説明すると、図において示される符号Ｐは本考案に係る使い捨てタイプの擬毛髪散布器を構成する容器本体である。該容器本体Ｐは、図１乃至図３に示すように、下端開口側が底蓋３によって閉塞された有底円筒状の外筒１と、該外筒１内に鞘状となって挿入され、上端開口部側に散出板４を備えた内筒２と、該内筒２の上端開口部を閉蓋するキャップ６とから構成されている。
【００２５】
このように擬毛髪散布器を構成する容器本体Ｐとしての外筒１および内筒２、底蓋３、散出板４、キャップ６それぞれは、燃えるゴミとして廃棄可能な例えば厚紙・ボール紙・型紙等の紙材、あるいは、その他の軽量な可燃性素材によって形成してある。
【００２６】
外筒１は、この一端開口縁部を内側に向けて断面略Ｕ字状に折返し状にして折り曲げ、この折り曲げられた環状先端部分によって、当該外筒１内にやや強制的にでも挿入された円板状の底板３が係止されている。
【００２７】
内筒２は、図２および図３に示すように、外筒１よりも若干長くなっており、外筒１内に挿入された際には、当該内筒２の一端開口縁部が底蓋３によって係止され、内筒２の他端開口部は、外筒１の上端開口部から外方に突出されている。
【００２８】
また、内筒２の上端開口部側には、この縁部を内側に向けて断面略Ｕ字状に折返し状に折り曲げて成る支持部５が形成されており、この支持部５の折り曲げ先端部によって、内筒２内に強制的にでも挿入された円板状の散出板４が内筒２の底部側から係止されている。この支持部５自体は、散出板４周囲を囲繞して空隙Ｓを形成する環枠状に形成されており、容器本体Ｐを持ち、支持部５端で散布部位に軽く叩くようにして散布するときの頭皮Ｒと散出板４との間隔を保持するようにしている。すなわち、散出板４を頭皮Ｒに向けて叩いた際には、図５に示すように、頭皮Ｒと散出板４との間が支持部５によって隔てられ、その内側に空隙Ｓが生じるようにしている。
【００２９】
散出板４自体は、例えば厚紙・ボール紙・型紙等の紙材による軽量な可燃性素材によって円板状に形成されており、これの全域には微髪毛Ｑを通すための多数の細孔４ａが開穿されることで散設されている。
【００３０】
尚、この散出板４としては、主に紙材製のものを使用しているが、この他、例えば型紙等の円枠の内側に例えば絹糸等の可燃性の紐材が縦横格子状となって張設されて網目状となって形成されたものを使用しても良い。
【００３１】
そして、このように形成された容器本体Ｐ内には、ヘアパウダーと称する粉末状の擬毛である特殊な微髪毛Ｑが収容される。
【００３２】
さらに、外筒１の上端開口部から外方に突出されている内筒２には、当該内筒２の上端開口部を閉蓋するためのキャップ６が嵌合状に被冠される。このキャップ６の頂板の内側には、例えば紙材製等の可燃性の封止部材７を、前記支持部５の深さに対応した厚みとなして付設してあって、キャップ６による閉蓋によって散出板４の細孔４ａそれぞれを塞ぐように、封止部材７自体は散出板４上面全体に当接するようになっている。
【００３３】
次に、以上のように構成された形態についての使用の一例について説明する。先ず、容器本体Ｐからキャップ６を外してから、図４に示すように、散出板４を毛の薄い頭皮Ｒ、あるいは頭髪等に向けて軽く叩き込む。
【００３４】
このとき、散出板４の細孔４ａから容器本体Ｐ内の微髪毛Ｑが頭皮Ｒ等に降りかかり、図５に示すように、頭皮Ｒと散出板４との間は支持部５によって隔てられてその内側に空隙Ｓが生じているから、細孔４ａを経て微髪毛Ｑが頭髪、頭皮Ｒ上に散布される。このように散出板４は頭皮Ｒには直接的に接触せず、従来のように頭皮Ｒの脂肪分が散出板４の細孔４ａに付着すること等によってこれらが、細孔４ａ内で凝固して目詰まり状態となってしまうことがない。そして、この空隙Ｓ内で微髪毛Ｑが舞い上がるようにして分散され、毛髪の薄い頭皮Ｒ部分に均一となって降りかかるものとなる。
【００３５】
使用しないときには、容器本体Ｐをキャップ６で閉めておくと、当該キャップ６内側の封止部材７によって散出板４の細孔４ａそれぞれを密着状に塞ぐから、万が一、容器本体Ｐが転倒しても散出板４から微髪毛Ｑが漏れ出すことがない。
【００３６】
そして、容器本体Ｐ内部の微髪毛Ｑを使い切ったら、容器本体Ｐは可燃性ゴミとして廃棄される。このように、擬毛髪散布器を構成する容器本体Ｐの全ての部材が例えば厚紙・ボール紙・型紙等の軽量な可燃性素材例えば紙材によって形成されているのでエコロジー対策として十分に対応できる。
【符号の説明】
【００３７】
Ｐ…容器本体                            Ｑ…微髪毛
Ｒ…頭皮                                Ｓ…空隙
１…外筒                                ２…内筒
３…底蓋                                ４…散出板
４ａ…細孔                              ５…支持部
６…キャップ                            ７…封止部材
【図１】
0003150374.tif 000003
【図２】
0003150374.tif 000004
【図３】
0003150374.tif 000005
【図４】
0003150374.tif 000006
【図５】
0003150374.tif 000007